(57)【要約】【課題】１台の写真プリント装置が取り扱うことができる写真商品サービスをオペレータが的確に把握することができるユーザインターフェースを備えた写真プリント装置を提供する。【解決手段】この写真プリント装置には、複数枚のタブ付きカード４１から構成されるスタート画面４０と、写真商品サービスを開始するスタートボタン４３を有するグラフィックユーザインターフェース部が備えられ、複数の写真商品サービスを複数のグループに区分けする区分け情報に基づいてグラフィックユーザインターフェース部が各グループに属する各写真商品サービスのためのスタートボタン４３をタブ付きカード４１の１つに配置するとともにそのタブ付きカード４１のタブ４２に該当グループを特定する標識を付与する。【選択図】  図４
2004177577.tif 000002
【特許請求の範囲】
【請求項１】
異なる複数の写真商品サービスを提供することができる写真プリント装置において、
複数枚のタブ付きカードから構成されるスタート画面と、前記写真商品サービスを開始するスタートボタンを有するグラフィックユーザインターフェース部が備えられ、前記複数の写真商品サービスを複数のグループに区分けする区分け情報に基づいて前記グラフィックユーザインターフェース部が前記各グループに属する各写真商品サービスのためのスタートボタンをそれぞれ前記タブ付きカードの１つに配置するとともにそのタブ付きカードのタブに該当グループを特定する標識を付与することを特徴とする写真プリント装置。
【発明の詳細な説明】
【０００１】
【発明の属する技術分野】
本発明は、異なる複数の写真商品サービスを提供することができる写真プリント装置に関する。
【０００２】
【従来の技術】
ＤＰショップなどで扱われる写真商品サービスとして、写真プリントソースとしての写真フィルムやメモリカードに記録されている全ての画像コマをサービスサイズで各１枚ずつプリントする一般的なプリント以外に、特定種のプリントソースや特定種の印画紙を用いた写真プリントの販売促進などの目的をもつキャンペーン商品、カレンダープリントや大判プリントといった特殊レイアウトや特殊サイズのプリントサービス、画像デジタル化の流れによって普及され始めている画像コマのＣＤ−Ｒ書き込みサービスといったように多種多様のものが季節に合わせてあるいは常時又は不定期に展開されている。
最近の写真プリント装置はデジタル化されたこともあって（一般にこのような写真プリント装置はデジタルミニラボと呼ばれている）、上述したような多種多様な写真商品サービスをすべて１台の装置でこなすことができる。
【０００３】
しかしながら、写真商品サービスの内容によっては、熟練を要する画像処理操作等が必要となり、写真プリント装置の機能に習熟していないアルバイト店員やパートタイマーでは扱うことができないものもある。例えば、ポートレートなどの大判（四つ切など）プリントサービスでは人物と背景とのバランスを考慮した色濃度補正作業や適切なトリミングが必須となるし、アルバムプリントサービスでは撮影画像とテンプレート画像との合成作業が必須となり、特定の熟練したオペレータだけがこれらのサービスを担当することになる。また、年賀状作製サービスや運動会キャンペーンサービスといった特定季節に限定された種々の写真商品サービスも用意されている。
【０００４】
このように多種多様にわたる写真商品サービスを的確に管理する必要があるが、習熟不足のアルバイト店員やパートタイマーにとって自分が取り扱うことができる写真商品サービスや特定時期だけ取り扱うべき写真商品サービスを把握することは容易ではない。
【０００５】
最近では、パソコンで作成された文書データや画像データをハードコピーするプリンタなどにおいても、例えば、用紙設定、用紙サイズ、プリント枚数、拡大／縮小、割り付け、スタンプマーク付与といった動作条件を任意に選択することにより種々のプリントサービスを実行することができるようになっている。その際、そのような動作条件の設定を容易にするため、各設定動作条件項目をグループ分けし、各グループに対応して形成されたタブ付きカード状画面を通じてそれぞれのグループの動作条件設定を行うように構成されたグラフィックユーザインターフェース技術が提案されている（例えば、特許文献１参照。）。しかしながら、このような動作条件の設定、つまり特定のプリントサービスの実行は、その都度オペレータによるタブ付きカード状画面を通じた設定操作をしなければならず、上述した各種サービスの的確な管理といった問題を解決する方策にはならない。
【０００６】
【特許文献１】
特開２００１−１１７７４６号公報（段落番号００１８−００２６、第１図）
【０００７】
【発明が解決しようとする課題】
上記実状に鑑み、本発明の課題は、１台の写真プリント装置が取り扱うことができる写真商品サービスをオペレータが的確に把握することができるユーザインターフェースを備えた写真プリント装置を提供することである。
【０００８】
【課題を解決するための手段】
上記課題を解決するため、異なる複数の写真商品サービスを提供することができる、本発明による写真プリント装置では、複数枚のタブ付きカードから構成されるスタート画面と、前記写真商品サービスを開始するスタートボタンを有するグラフィックユーザインターフェース部が備えられ、前記複数の写真商品サービスを複数のグループに区分けする区分け情報に基づいて前記グラフィックユーザインターフェース部が前記各グループに属する各写真商品サービスのためのスタートボタンをそれぞれ前記タブ付きカードの１つに配置するとともにそのタブ付きカードのタブに該当グループを特定する標識を付与する。
【０００９】
この写真プリント装置で提供可能な複数の写真商品サービスから所望のサービスを選択するためのスタート画面が複数枚のタブ付きカードから構成されており、写真商品サービスを写真商品サービスの内容等によって適切にグループ分けされ、各グループを特定する標識を付与されたタブを有するタブ付きカードのそれぞれに該当グループに属する写真商品サービスのためのスタートボタンが配置されている。これにより、写真商品サービスを実行するためのスタートボタンが複数のタブ付きカードによって整理されていることになるので、多種多様の写真商品サービスが用意されていても、オペレータは自分が取り扱うべき写真商品サービスを容易かつ迅速に見つけ出すことができる。
【００１０】
特に、写真商品サービスのグループ分けがその写真商品サービスを実行する際に要求されるオペレーションの熟練度によって行われているならば、例えば、タブ付きカードのタブに熟練度を表す標識を表示し、そのタブ付きカードに該当熟練度に適合する写真商品サービスのためのスタートボタンを配置することで、低い熟練度のオペレータが高い熟練度を要求する写真商品サービスを選択するといった不都合は解消できる。この場合、タブに書き込む熟練度の代わりにオペレータの氏名等、オペレータを直接特定する標識を採用してもよい。また、このスタート画面を表示させる前にユーザＩＤ等を入力させ、入力されたユーザＩＤ等によって熟練度等を特定し、取り扱いが不適な写真商品サービスのためのスタートボタンを配置しているタブ付きカードは表示しないような構成を採用することも利点がある。
【００１１】
また、写真商品サービスのグループ分けがその写真商品サービスの時期的な内容によって行われているならば、例えば、日常的に実施される通常商品サービスや不定期で実施されるキャンペーン商品や季節限定で行われる年末商品サービスといったカテゴリで写真商品サービスをグループ分けできるので、時期的に実施しない写真商品サービスを選択するといった不都合は解消される。
本発明によるその他の特徴及び利点は、以下図面を用いた実施形態の説明により明らかになるだろう。
【００１２】
【発明の実施の形態】
図１は本発明による写真プリント装置の一例を示す外観図であり、この写真プリント装置は、銀塩印画紙Ｐ（以下、印画紙Ｐと称する）に対して露光処理と現像処理とを行う写真プリンタとしてのプリントステーション１Ｂと、メモリカードＭａやＡＰＳフィルムＭｂなどのプリントソースとしての写真記録メディアＭから取り込んだ撮影画像データやプリント注文データを処理してプリントステーション１Ｂで使用されるプリントデータの生成・転送などを行う操作ステーション１Ａとから構成されている。
【００１３】
この写真プリント装置はデジタルミニラボとも称せられるものであり、図２からよく理解できるように、プリントステーション１Ｂは２つの印画紙マガジン１１に納めたロール状の印画紙Ｐを該ステーション１Ｂの内部に搬送してプリントサイズに切断すると共に、このように切断された印画紙Ｐに対し、プリントエンジンとしての露光エンジン１２で露光を行い、この露光後の印画紙Ｐを複数の現像処理槽を有した現像処理部１３に送って現像する。乾燥の後に装置上部の横送りコンベア１４からソータ１５に送られた印画紙Ｐ、つまり写真プリントＰは、このソータ１５の複数のトレイ１５ａに対してオーダ単位で仕分けられた状態で集積される。
【００１４】
露光エンジン１２は、操作ステーション１Ａから送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、露光ヘッドとしては、露光仕様に応じて、レーザビーム方式、蛍光ビーム方式、液晶シャッター方式、ＤＭＤ方式などの採用が可能であるが、ここではレーザビーム方式が採用されている。又、前記現像処理部１３は露光後の印画紙Ｐを複数の現像処理槽に対して連続的に送るよう多数の圧着ローラ（図示せず）を有した搬送系を備えている。
【００１５】
前記操作ステーション１Ａは、デスク状コンソールの上部位置には、従来からの写真フィルムとしてよく知られた１３５フィルムから撮影画像データを、及びＡＰＳフィルムＭｂから撮影画像データとプリント注文情報を取得するフィルムスキャナ２と、各種情報を表示するモニタ４が配置されている。さらに操作テーブル上にはこの写真プリント装置に対する各種設定や調整を行う際に用いるキーボード１６やマウス１７などが配置されている。
【００１６】
また、この操作テーブルの下方には、取り込んだ撮影画像データやプリント注文情報の処理やプリントステーション１Ｂに対する各種設定や調整などを行うコントローラ３として機能する汎用コンピュータ（以後単にパソコンと称する）が備えられている。このコントローラ３にはデジタルカメラに装着されるメモリカードＭａとして用いられているスマートメディアやコンパクトフラッシュなどから撮影画像データとプリント注文情報を取得したりするメディアリーダ１８も備えられている。
【００１７】
フィルムスキャナ２は、図２に模式的に示されているように、フィルム搬送ラインの上方に位置する光源２０と、フィルム搬送ラインの下側でこれに対して直交する方向に延びたスリット２１の下方に位置する光学レンズ２２と、この光学レンズ２２によって結像された写真フィルムの透過光を光電変換するＣＣＤ型のセンサユニット２３と、ＡＰＳタイプの写真フィルムの磁気記録層からプリント注文情報を読み取る磁気リーダ２４を備えている。センサユニット２３はパソコンに装着された画像入力ボードと接続されており、センサユニット２３によって変換されたデジタル画像データは画像入力ボードを介してコントローラ３のメモリ３０に送り込まれる。
【００１８】
この写真プリント装置のコントローラ３は実質的にはパソコンであり、ＣＰＵを中核部材として、写真プリント装置の種々の動作を行うための機能部をハードウエア又はソフトウエアあるいはその両方で構築しているが、図３に示されているように、本発明に特に関係する機能部としては、スキャナ２やメディアリーダ１８によって読み取られた撮影画像データを取り込んで次の処理のために必要な前処理を行うデータ前処理部３１と、各種ウインドウや各種操作ボタンなどを含むグラフィック操作画面の作成やそのようなグラフィック操作画面を通じてのユーザ操作入力を管理するグラフィックユーザインターフェース（以下ＧＵＩと略称する）を構築するＧＵＩ部３３と、データ前処理部３１からメモリ３０に転送された撮影画像データに対する処理やＧＵＩ部３３から送られてきたユーザ入力情報の処理を行うプリント管理部３２と、色補正等のプレジャッジ作業時にプリントソース画像や予想仕上がりプリント画像としてのシミュレート画像さらにはＧＵＩ部３３から送られてきたグラフィックデータをモニタ４に表示させるためのビデオ信号を生成するビデオ制御部３４と、画像処理が完了した処理済み撮影画像データに基づいてプリントステーション１Ｂの露光エンジン１２のためのプリントデータを生成するプリントデータ生成部３５と、顧客の要望に応じて生の撮影画像データや画像処理が完了した処理済み撮影画像データなどをＣＤ−Ｒに書き込むための形式にフォーマットするフォーマッタ部３６などが挙げられる。
【００１９】
データ前処理部３１は、取り込んだ撮影画像データにサムネイル画像データが含まれている場合はモニタ４での一覧表示などの目的で使用するため撮影画像の本データとは別にメモリ３０に送り込むが、もしサムネイル画像データが含まれていない場合は本データから縮小画像を作り出してサムネイル画像データとしてメモリ３０に送り込む。プリント管理部３２は、メモリ３０に展開された撮影画像データに対して色補正、トリミング、回転、フィルタリング（ぼかしやシャープネスなど）を施す画像処理部３２ａやＧＵＩ部３３から与えられたユーザ操作入力情報や必要に応じてキーボード１６やマウス１７の直接操作を通じて入力された情報に基づいてプリントステーション１Ｂを制御するためのプリント処理情報を生成するプリント処理情報生成部３２ｂを含んでいる。
【００２０】
この写真プリント装置のＧＵＩ部３３には、図４〜図６に示すような複数のタブ付きカード４１から構成されるスタート画面４０などの入力操作画面やタブ付きカード４１に配置されるスタートボタン４３などのグラフィック要素を生成・管理する入力操作画面生成部３３ａと、スタートボタン４３やその他の各種操作ボタンとこの写真プリント装置の動作条件のための設定データとをリンクするリンク生成部３３ｂを含んでいる。このようなＧＵＩ部３３のしくみにより、例えば、特定のスタートボタン４３をクリックすることにより、写真プリントを作製するためにコントローラ３の各機能部が前もってスタートボタン４３にリンクされた設定データ通りに動作することになる。
【００２１】
図４〜図６で示されたスタート画面４０は上下に重ね合わされ一番上のタブ付きカード４１以外はそのタブ部４２だけが表示されることになる３つのタブ付きカード４１から構成されている。それぞれのタブ付きカード４１にはこの写真プリント装置が提供することができる各写真商品サービスに対応付けられたスタートボタン４３が配置されている。タブ付きカード４１は、写真プリント装置を取り扱う熟練度が異なる３人のオペレータのために区分けされており、その内訳は、低レベルの熟練度をもつアルバイトＡの名を付けられたタブ部４２を有するもの、中レベルの熟練度をもつアルバイトＢの名を付けられたタブ部４２を有するもの、高レベルの熟練度をもつ店長の名を付けられたタブ部４２を有するものである。各タブ付きカード４１に、対応するオペレータの熟練度に適合する写真商品サービスを実行するためのスタートボタン４３だけが配置されることで、熟練度の低いアルバイトＡが熟練を要する写真商品サービスを取り扱うことが避けられる。
【００２２】
図４で最上面に表示されているタブ付きカード４１はアルバイトＡのためのものであり、簡易プリントと各２枚サービスのためのスタートボタン４３が配置されている。図５で最上面に表示されているタブ付きカード４１はアルバイトＢのためのものであり、アルバイトＡのためのものに比べＣＤ−Ｒ書込サービスとＩＮＤＥＸ付ＣＤ−Ｒ書込サービスのためのスタートボタン４３が追加されている。図６で最上面に表示されているタブ付きカード４１は店長のためのものであり、アルバイトＢのためのものに比べ通常プリントと四つ切プリントとバックアップサービスのためのスタートボタン４３が追加されている。
【００２３】
スタート画面４０において、タブ部４２を用いて選択されたタブ付きカード４１に配置されたスタートボタン４３の１つをクリックすると、クリックされたスタートボタン４３に対応する写真商品サービスが実行されるが、スタートボタンをクリックされた後にコントローラ３の各機能部が予め設定された動作条件に基づいて又はその操作途中で選択設定された動作条件に基づいて動作する基本的な様子を図７の流れ図を用いて説明する。
【００２４】
ステップ１（＃０１）
取り扱う入力ソースを選択する必要がある場合、図８に示されるような入力メディア選択画面５０を利用して、適切な種類を選択する。例えば、スマートメディアが入力メディアとなる場合では、「メディア」のフレーム５１からスマートメディアのボタン５１ａをクリックする。写真フィルムＭｂである１３５フィルムがプリントソースとなる場合は、「スキャナ」のフレーム５２に配置されている１３５フィルムボタンをクリックする。予め入力メディアが特定されている写真商品サービスの場合、この選択設定ステップは設定データに基づいて自動的に実行される。
【００２５】
ステップ２（＃０２）
次にプリントサイズの設定が、図９に示されるようなプリントサイズ選択画面６０を利用して行われる。プリントサイズ選択画面６０には、この写真プリント装置で取り扱うことができるプリントサイズを示すプリントサイズボタン６１、例えば８９ｘ１１９サイズボタン、１２７ｘ１６９サイズボタン、８９ｘ１２７サイズボタン、四つ切ボタンなどが配置されており、クリックされたボタンに割り付けられているプリントサイズが設定されることになる。予めプリントサイズが特定されている写真商品サービスの場合、この選択設定ステップは設定データに基づいて自動的に実行される。
【００２６】
ステップ３（＃０３）
受け取った写真記録メディアＭに含まれているすべての画像コマが同じ枚数だけプリントされる場合は、ここでは図示されていないプリント枚数設定画面を通じてその枚数が設定されるか、あるいは予め設定されたデータによって自動設定されるが、選択された画像コマだけをプリントするような写真商品サービスでは、次に述べる対話型のプレジャッジプリント作業時に枚数設定も行われるのでこのステップは省略される。
【００２７】
ステップ４（＃０４）
写真プリント業界ではよく知られたプレジャッジプリント作業が行われる場合、図１０に示されるようなプレジャッジプリント画面７０を通じて、色の濃度補正、フィルタ処理などの設定が行われるが、すべての画像コマが同じ枚数だけプリントされるような写真商品サービスでない場合選択された画像コマのプリント枚数（０枚、つまりプリントしないケースもある）の設定もここで行われる。このプレジャッジプリント画面７０では、左側領域に６個の撮影画像コマ（サムネイル画像）を一覧表示する撮影画像コマ表示欄７１と、右欄領域に色濃度補正と枚数設定のためのボタン配置欄７２が配置されている。色濃度補正を行うためには、補正対象となるコマを選択し、「イエロー」、「マゼンタ」、「シアン」、「濃度」の各増減ボタン７３を操作する。補正量は各増減ボタンの間に表示される。プリント枚数設定を行うためには、同様に補正対象となるコマを選択し、各増減ボタン７３を操作する。なお補正量の「Ｎ」はニュートラルを表し補正なしを意味する。設定プリント枚数は各増減ボタンの間に表示される。「ＰＡＳＳ（パス）」ボタンはプリントを行わない場合に用いられる。なお、図１０では詳しく示されていないが、画像の拡大・縮小やトリミングなどもこのプレジャッジプリント画面７０を通じて行われる。もちろん、プレジャッジプリント作業を行わない簡易プリントを実施する場合はここで行われる補正等は予め設定されたデータに基づいて自動的に実行される。
【００２８】
ステップ５（＃０５）
インデックスプリントを付加的に提供する場合には、図１１に示されたようなインデックスサイズ選択画面８０を利用して行われる。インデックスサイズ選択画面８０には、この写真プリント装置で取り扱うことができるインデックスプリントのサイズを示すボタン８１、例えば８９ｘ１２７サイズボタンや１２７ｘ２２６サイズボタンやＣＤサイズ（ＣＤケースに挿入される大きさ）ボタンなどが配置されており、クリックされたボタンに割り付けられているインデックスプリントサイズが設定されることになる。このインデックスプリントが含まれていない写真商品サービスの実行時にはこのステップは省略され、また予めインデックスサイズが特定されている写真商品サービスの場合この選択設定ステップは設定データに基づいて自動的に実行される。
【００２９】
ステップ６（＃０６）
選択された写真商品サービスに画像コマの画像データ書き込みサービスが含まれている場合、ここでは図示されていない出力メディア選択画面を通じて、画像データ書き込みに用いられる記録メディアや場合によっては記録フォーマットを選択する。ここでも、画像データ書き込みサービスが含まれていない写真商品サービスの実行時にはこのステップは省略され、また予め出力メディアが特定されている写真商品サービスの場合この選択設定ステップは設定データに基づいて自動的に実行される。
【００３０】
上述したようなステップを経て、この写真プリント装置による写真プリント作製に必要な動作条件の設定作業が完了すると、これまでの全てのステップを通じて得られたプリント注文に関する情報から、プリント処理情報生成部３２ｂはプリント処理情報を作成し、このプリント処理情報に基づいて、画像処理部３２ａに制御コマンドを与え、撮影画像本データを画像処理するとともに、プリントデータ生成部３５にも制御コマンドを与え、処理済み画像本データからプリントデータを生成させ、プリントステーション１Ｂへ転送する。さらに、必要な場合、フォーマッタ部３６にも制御コマンドを与え、処理画像本データ又は処理済み画像本データあるいはその両方を例えばＣＤ−Ｒに書き込むための前処理を行い、画像データのＣＤ−Ｒへの書き込みが行われる。
【００３１】
以上述べたように、特定の写真商品サービスの実行時には、コントローラ３の各機能部を予め設定された動作条件で動作させるように、ＧＵＩ部３３のリンク生成部３３ｂによって対応するスタートボタン４３には種々の動作条件項目に設定される設定データがリンクさせられており、スタートボタン４３が操作されと、プリント管理部３２は操作されたスタートボタン４３にリンクしている動作条件項目の設定データを読み込んでこの設定データに基づいて画像データ処理を行っていく。
【００３２】
例えば、簡易プリントのためのスタートボタン４３には、図１２で模式的に示されているように、動作条件項目１である入力メディアは「選択」に、動作条件項目２であるプリントサイズは「１２７ｘ１６９ｍｍ」に、動作条件項目３であるプリント枚数は各「１枚」に、動作条件項目４であるプレジャッジプリント要否は「なし」に、動作条件項目５であるインデックスプリントサイズは「１２７ｘ２２６ｍｍ」に、動作条件項目６である出力メディアは「なし」に設定されている。
【００３３】
従って、オペレータがこの簡易プリントのためのスタートボタン４３をクリックすると、図８で示された入力メディア選択画面５０を通じて選択した入力メディアをメディアリーダ１８に挿入するだけで、あとは動作条件設定をせずとも、所定の写真プリントとインデックスプリントが作製される。
【００３４】
図１３で示すようなタブ付きカード環境設定画面９０を通じて、各写真商品サービスに対応して作成されるスタートボタン４３が所望のタブ付きカード４１の中に配置設定されるとともに、このスタートボタン４３によって提供される写真商品サービスの提供のために要求される各動作条件項目も設定される。設定作業においては、まず、タブ設定欄９１を通じてこのタブ付きカード４１のタブ部４２に付与される標識としてのタブ名（図１３の例では店長と入力されている）とその表示色を設定する。次に、ボタンレイアウト設定欄９２にはタブ付きカード４１内に配置可能な８つのボタンが表示されているので、新たなスタートボタン４３として利用するためのボタンを選択する（図１３の例ではボタン１が選択されている）。選択されたボタン１にリンクされる動作条件の設定は、ボタン設定欄９３を通じて行われる。ボタン設定欄９３には、選択したボタンに付与するボタン名の入力枠９３ａ、ボタンに付与するイメージの設定欄９３ｂ、動作条件項目設定欄９３ｃが設けられているので、適正な値を入力又は選択する。図１３の例では、ボタン名には「簡易プリント」、イメージとして小さな写真プリントとインデックスプリントのイメージが設定されており、各動作条件項目には図１２で示した内容が設定されている。写真商品サービスの種類と各写真商品サービスの提供のため設定される動作条件項目の例が図１４で一覧化されている。
【００３５】
以上説明した実施形態では、熟練度の異なるオペレータに合わせて区分けされたタブ付きカード４１に該当する写真商品サービスのスタートボタン４３が配置されており、低い熟練度のオペレータが高い熟練度を要求する写真商品サービスを選択するといった問題が生じにくくされているが、このタブ付きカード４１で構成されるスタート画面４０を表示させる前にユーザＩＤ等を入力させ、入力されたユーザＩＤに対応しないタブ付きカード４１は選択できないような構成や、入力されたユーザＩＤに対応しないスタートボタン４３を配置した画面は表示しないような構成を採用することで、さらに不適切な写真商品サービスを実行するといった不都合をなくすことができる。
【００３６】
図１５〜図１７に示されたスタート画面４０の別な実施形態では、タブ付きカード４１は時期的なカテゴリで区分けされており、そこには、年中実施されている写真商品サービスに対応するスタートボタン４３を配置した「通常商品」を標識としてタブ部４２に付与されているタブ付きカード４１、期間限定の写真商品サービスに対応するスタートボタン４３を配置した「キャンペーン商品」を標識としてタブ部４２に付与されているタブ付きカード４１、年末需要の写真商品サービスに対応するスタートボタン４３を配置した「年末商品」を標識としてタブ部４２に付与されているタブ付きカード４１が含まれている。このように写真商品サービスに対応するスタートボタンをグループ分けする基準はユーザによって任意選択可能であり、この写真プリント装置を操作するオペレータにとって最適なスタート画面４０を表示するようにするとよい。その際、異なる観点から区分けられたタブ付きカード４１、上述した例では、熟練度に基づいたものと時期的な商品サービスで区分けされたものの両方が表示されるようにしてもよい。
【００３７】
また図１８に示すように、できるだけ慎重に選択してほしいタブ付きカード４１が存在する場合そのタブ付きカード４１のタブ部４２（図１８の例では年末商品と表示されている）を他のタブ付きカード４１のタブ部４２と大きく間隔をあけて位置するようなレイアウトを採用することができるように構成することも利点がある。
【図面の簡単な説明】
【図１】本発明による写真プリント装置を示す外観図
【図２】図１による写真プリント装置のブロック図
【図３】写真プリント装置のコントローラにおける本発明に関する機能ブロック図
【図４】スタート画面の一形態を示す模式図
【図５】スタート画面の一形態を示す模式図
【図６】スタート画面の一形態を示す模式図
【図７】写真商品サービスを提供するために各動作条件項目を設定する手順を示す流れ図
【図８】入力メディア選択画面の模式図
【図９】プリントサイズ選択画面の模式図
【図１０】プレジャッジプリント作業画面の模式図
【図１１】インデックスサイズ選択画面の模式図
【図１２】スタートボタンにリンクされた動作条件項目を説明する模式図
【図１３】タブ付きカード環境設定画面の模式図
【図１４】各写真商品サービスに割り当てられたスタートボタンとこれに設定された動作条件項目の内容一覧を示す図
【図１５】別な実施形態でのスタート画面の一形態を示す模式図
【図１６】別な実施形態でのスタート画面の一形態を示す模式図
【図１７】別な実施形態でのスタート画面の一形態を示す模式図
【図１８】別な実施形態でのスタート画面の異なる形態を示す模式図
【符号の説明】
３  コントローラ
４  モニタ
１６  キーボード
１７  マウス
１８  メディアリーダ
３１  データ前処理部
３２  プリント管理部
３２ａ画像処理部
３２ｂプリント処理情報生成部
３３  ＧＵＩ部
３３ａ入力操作画面生成部
３３ｂリンク生成部
３４  ビデオ制御部
３５  プリントデータ生成部
３６  フォーマッタ部
４０  スタート画面
４１  タブ付きカード
４２  タブ部
４３  スタートボタン
【図１】
2004177577.tif 000003
【図２】
2004177577.tif 000004
【図３】
2004177577.tif 000005
【図４】
2004177577.tif 000006
【図５】
2004177577.tif 000007
【図６】
2004177577.tif 000008
【図７】
2004177577.tif 000009
【図８】
2004177577.tif 000010
【図９】
2004177577.tif 000011
【図１０】
2004177577.tif 000012
【図１１】
2004177577.tif 000013
【図１２】
2004177577.tif 000014
【図１３】
2004177577.tif 000015
【図１４】
2004177577.tif 000016
【図１５】
2004177577.tif 000017
【図１６】
2004177577.tif 000018
【図１７】
2004177577.tif 000019
【図１８】
2004177577.tif 000020